(57)【特許請求の範囲】
【請求項１】
合成樹脂により形成され、長手方向に延伸可能でその延伸後にも弾性的収縮性を有する細長い基材片の両面又は片面に、該基材片を瞼に貼着するための粘着剤が塗着されて成るテープ状部材から構成されていて、
上記テープ状部材は、その長手方向の一端側と他端側に位置して指先での把持に供される一対の把持領域と、これら一対の把持領域の間に位置して瞼への貼着に供される貼着領域とを有し、
上記テープ状部材の貼着領域を上記基材片が延伸される長さに伸長させた状態で瞼に貼り付け、上記基材片の延伸後の弾性的収縮性を利用して該テープ状部材を瞼にくい込ませることにより、瞼に該テープ状部材に沿ったくびれを形成するように構成された化粧用瞼整形用テープであって、
上記テープ状部材は、その長手方向の一端から他端まで直線状に延びて幅方向の両側に互いに平行を成す第１及び第２側端を有するコア部と、少なくとも上記貼着領域において、該コア部の第１及び第２側端のそれぞれから幅方向に凸設された突出部とにより一体に形成されている、
ことを特徴とするもの。
【請求項２】
請求項１に記載の化粧用瞼整形用テープであって、
上記第１及び第２側端のそれぞれにおいて、上記突出部が複数形成されている、
ことを特徴とするもの。
【請求項３】
請求項２に記載の化粧用瞼整形用テープであって、
上記第１及び第２側端のそれぞれにおいて、上記突出部が均一の高さ及び均一のピッチで形成されている、
ことを特徴とするもの。
【請求項４】
請求項３に記載の化粧用瞼整形用テープであって、
上記第１側端における突出部の高さ及びピッチと、上記第２側端における突出部の高さ及びピッチが互いに等しく形成されている、
ことを特徴とするもの。
【請求項５】
請求項４に記載の化粧用瞼整形用テープであって、
上記テープ状部材の長手方向において、上記第１側端の突出部と第２側端の突出部とが逆位相で形成されている、
ことを特徴とするもの。
【請求項６】
請求項５に記載の化粧用瞼整形用テープであって、
上記テープ状部材が、その長手方向の一端から他端まで均一な幅を有している、
ことを特徴とするもの。
【請求項７】
請求項３〜６の何れかに記載の化粧用瞼整形用テープであって、
上記突出部が波形に形成されている、
ことを特徴とするもの。
【請求項８】
請求項３〜７の何れかに記載の化粧用瞼整形用テープであって、
上記テープ状部材の長手方向の一端から他端までの全体に亘って、上記第１及び第２側端に上記突出部が形成されている、
ことを特徴とするもの。
【請求項９】
請求項１〜８の何れかに記載の化粧用瞼整形用テープであって、
該テープは、上記基材片の両面に粘着剤が塗着されて成るテープ状部材と、粘着剤に対し易剥離性を有する合成樹脂により該テープ状部材と同形状に形成され、該テープ状部材における粘着剤が塗着された粘着面に貼着した剥離シート片とから構成されていて、
該剥離シート片が、その長手方向の中央部に、幅方向に切設され長手方向への引っ張りにより破断する易破断部を有している、
ことを特徴とするもの。
【請求項１０】
請求項１〜９の何れかに記載の化粧用瞼整形用テープであって、
該化粧用瞼整形用テープが二重瞼形成用テープであり、
上記テープ状部材の貼着領域を上記基材片が延伸される長さに伸長させた状態で上瞼に貼り付け、該基材片の延伸後の弾性的収縮性を利用して該テープ状部材を上瞼にくい込ませることにより、上瞼に該テープ状部材に沿ったくびれを形成して、上瞼を開いた際に該くびれで上瞼が折り返されることにより、二重瞼のひだが形成されるように構成されている、
ことを特徴とするもの。
【請求項１１】
請求項１〜１０の何れかに記載の化粧用瞼整形用テープの製造方法であって、以下のステップを有する方法。
（１）上記基材片を形成する合成樹脂から成る基材シートの両面又は片面に粘着剤が塗着された粘着シートを準備するステップ
（２）上記突出部と同じ輪郭形状の刃先を有する切断刃と上記粘着シートとを相対的に移動させながら、該切断刃で該粘着シートを切断することにより、上記化粧用瞼整形用テープを得るステップ
【発明の詳細な説明】
【技術分野】
【０００１】
本発明は、延伸可能でその延伸後にも弾性的収縮性を有する基材片に粘着剤を塗着して成るテープ状部材を、上記基材片が延伸される所定長さに伸長させた状態で瞼に貼り付け、上記基材片の弾性的な伸縮性を利用して、疑似的な二重瞼を形成したり下瞼に膨らみ（所謂、涙袋）を形成したりするなど、瞼に疑似的な整形を施すことが可能な化粧用瞼整形用テープ及びその製造方法に関するものである。
【０００２】
外科的な手術を伴うことなく一重瞼を擬似的な二重瞼にする二重瞼形成用化粧品としては、従来から、溶液を瞼の皮膚上に塗布する溶液タイプ（特許文献１〜３）と粘着テープを瞼の皮膚上に貼付するテープタイプ（特許文献４〜８）とが知られていた。
そして、これら溶液タイプ及びテープタイプのものは、二重瞼が形成される方式により、主として、両面粘着テープや接着剤等で瞼の皮膚同士を折り畳んだ状態で接着させることにより二重瞼のひだを形成する方式（接着方式）と、溶液を瞼の皮膚上に塗布して乾燥させたり、粘着テープを瞼の皮膚上に貼着したり等することにより、瞼の皮膚上にそれよりも硬質な被膜を形成し、瞼を開いた際にその被膜の上縁に沿って皮膚が折り返されて二重瞼のひだが形成される方式（シャッター方式）とに分類することができる。
しかしながら、これら従来の二重瞼形成用化粧品は、溶液又はテープによる接着や被膜を利用して無理に二重瞼のひだを形成するものであるため、形成される二重瞼が不自然になりがちであったり、使用しているのが目立ち易かったり、使用者が引きつり感などの違和感を覚え易い等の問題点があった。
【０００３】
そこで出願人は、かかる問題点を解決するために、上記従来のものとは全く異なる方式によって二重瞼を形成することが可能な二重瞼形成用テープ（特許文献９）を提案した。この二重瞼形成用テープは、延伸可能でその延伸後にも弾性的収縮性を有する合成樹脂から成るテープ状部材により構成され、そのテープ状部材の延伸後の弾性的収縮性を利用して瞼に該テープ状部材をくい込ませ、そのテープ状部材に沿った凹溝状のくびれを形成するもので、その結果、上瞼を開いた際に、該くびれ部で自然に上瞼が折り返されて二重瞼のひだが形成されるようになっている。
さらに、昨今、同様にテープ状部材の延伸後の弾性的収縮性を利用して、下瞼の下方にくびれを形成することにより、下瞼に膨らみ（所謂、涙袋）を形成して目元に立体感をもたせる化粧用テープも提案され、注目を集めている。
【先行技術文献】
【特許文献】
【０００４】
【特許文献１】特開２００７−１０６７１１号公報
【特許文献２】登録実用新案第３１１１５１１号公報
【特許文献３】特開平０２−１８８５１２号公報
【特許文献４】登録実用新案第３１５４１３９公報
【特許文献５】特開平１０−３０４９３５号公報
【特許文献６】特開２００５−３３４１０８号公報
【特許文献７】特開２００７−１１１２１８号公報
【特許文献８】特開２００９−１９５４１０号公報
【特許文献９】特許第３２７７１８０号公報
【発明の概要】
【発明が解決しようとする課題】
【０００５】
ところで、上述のような、テープ状部材の延伸後の弾性的な収縮性を利用して、該テープ状部材を瞼にくい込ませ、該テープ状部材に沿ったくびれ形成する各種化粧用瞼整形用テープにおいては、使用にあたって、テープ状部材を引っ張って延伸させた状態で瞼の皮膚に貼り付け、瞼をテープと共に収縮させる必要がある。その一方で、テープ状部材を延伸させた時、テープ状部材に塗着されている粘着剤層も同時に延ばされるため、粘着剤層の厚さが薄くなったり、場合によっては粘着剤層が切れて粘着剤層が無い部分が生じたりする。
そのため、該テープ状部材を引っ張って延伸させた状態で瞼の皮膚に貼り付けた時、瞼の皮膚の状態によっては、テープ状部材と瞼の皮膚との間で十分な接着力を得ることができず、該テープ状部材の収縮時に瞼の皮膚との間で滑りが発生し、その結果、瞼にテープ状部材の実際の収縮量に応じた深さのくびれ、すなわち、疑似的な二重瞼を形成したり下瞼に膨らみを形成したりするなど、瞼に疑似的な整形を施すのに必要な深さのくびれを形成することができない場合があった。
【０００６】
そこで、本発明の技術的課題は、延伸可能でその延伸後にも弾性的収縮性を有する細長い基材片に、粘着剤が塗着されて成るテープ状部材から構成されていて、該テープ状部材を上記基材片が延伸される長さに伸長させた状態で瞼に貼り付け、上記基材片の延伸後の弾性的収縮性を利用して該テープ状部材を瞼にくい込ませることにより、瞼に該テープ状部材に沿ったくびれを形成するように構成された化粧用瞼整形用テープにおいて、瞼の皮膚に対する接着性を改善したもの、及びその製造方法を提供することにある。
【課題を解決するための手段】
【０００７】
上記課題を解決するため、本発明に係る化粧用瞼整形用テープは、合成樹脂により形成され、長手方向に延伸可能でその延伸後にも弾性的収縮性を有する細長い基材片の両面又は片面に、該基材片を瞼に貼着するための粘着剤が塗着されて成るテープ状部材から構成されていて、上記テープ状部材は、その長手方向の一端側と他端側に位置して指先での把持に供される一対の把持領域と、これら一対の把持領域の間に位置して瞼への貼着に供される貼着領域とを有し、上記テープ状部材の貼着領域を上記基材片が延伸される長さに伸長させた状態で瞼に貼り付け、上記基材片の延伸後の弾性的収縮性を利用して該テープ状部材を瞼にくい込ませることにより、瞼に該テープ状部材に沿ったくびれを形成するように構成された化粧用瞼整形用テープであって、上記テープ状部材は、その長手方向の一端から他端まで直線状に延びて幅方向の両側に互いに平行を成す第１及び第２側端を有するコア部と、少なくとも上記貼着領域において、該コア部の第１及び第２側端のそれぞれから幅方向に凸設された突出部とにより一体に形成されていることを特徴としている。
【０００８】
本発明において、「延伸」とは、合成樹脂から成る基材片を引き伸ばして塑性領域に移行させること、すなわち塑性変形させることを意味しており、「延伸可能」とは、使用者自らの手で延伸させて使用することができることを意味している。また、「弾性的収縮性」とは、引っ張りにより延伸させてその力を除荷したときに生じる収縮のうち、弾性的な収縮力を伴ったほぼ瞬間的な収縮のみを意味しており、「延伸後にも弾性的収縮性を有する」とは、延伸させた後にも、瞼の張りに抗して瞼にくい込んでテープ状部材に沿ったくびれを形成可能な弾性的な収縮性を有することを意味している。そして、「瞼」とは、上瞼及び下瞼の総称を意味している。
【０００９】
このような本発明に係る化粧用瞼整形用テープにおいては、上記テープ状部材の把持領域を指先で把持して長手方向に引っ張ることにより、その貼着領域を上記基材片が延伸される所定長さに伸長させた際に、該貼着領域の粘着剤の層も同時に引き延ばされるが、上記突出部については、その先端側にいくほど上記基材片の延伸率が小さくなるため、粘着剤の層も上記コア部よりも厚い適度な厚さを確保することができる
したがって、テープ状部材を引っ張ったままの状態で、その貼着領域を瞼の皮膚に押し当てた時、該貼着領域を瞼の皮膚に対しより確実に接着させることができ、基材片が弾性的に収縮する際に、該テープ状部材と瞼の皮膚との間で滑りが発生するのを抑制することができる。そのため、瞼にテープ状部材の実際の収縮量に応じた深さのくびれ、すなわち、疑似的な二重瞼を形成したり下瞼に膨らみ（所謂、涙袋）を形成したりするなど、瞼に疑似的な整形を施すのに必要な深さのくびれを、より確実に形成することが可能となる。
【００１０】
上記化粧用瞼整形用テープにおいては、上記第１及び第２側端のそれぞれにおいて、上記突出部が複数形成されていることが望ましい。
このとき、好ましくは、上記第１及び第２側端のそれぞれにおいて、上記突出部が均一の高さ及び均一のピッチで形成されており、より好ましくは、上記第１側端における突出部の高さ及びピッチと、上記第２側端における突出部の高さ及びピッチが互いに等しく形成されており、さらに好ましくは、上記テープ状部材の長手方向において、上記第１側端の突出部と第２側端の突出部とが逆位相で形成されている。
【００１１】
また、上記化粧用瞼整形用テープにおいては、上記テープ状部材が、その長手方向の一端から他端まで均一な幅を有していることが望ましく、特に、上記突出部が波形に形成されていることが望ましい。
なお、該化粧用瞼整形用テープにおいては、上記テープ状部材の長手方向の一端から他端までの全体に亘って、上記第１及び第２側端に上記突出部が形成されていても良い。
【００１２】
さらに、上記化粧用瞼整形用テープは、上記基材片の両面に粘着剤が塗着されて成るテープ状部材と、粘着剤に対し易剥離性を有する合成樹脂により該テープ状部材と同形状に形成され、該テープ状部材における粘着剤が塗着された粘着面に貼着した剥離シート片とから構成されていて、該剥離シート片が、その長手方向の中央部に、幅方向に切設され長手方向への引っ張りにより破断する易破断部を有していることが望ましい。
この場合、上記テープ状部材の把持領域を剥離シート片の上から把持して長手方向に引っ張ると、該剥離シート片が上記易破断部で破断し、上記貼着領域を上記基材片が延伸される所定長さに伸長させることができるようになっている。
【００１３】
ところで、このように２枚の剥離シート片の間に上記テープ状部材を挟持させ、これら剥離シート片とテープ状部材とを互いに同形状に形成した化粧用瞼整形用テープにおいては、該テープ同士が個々に独立しているため、ケースに複数本をまとめて収納するのが一般的である。しかしながら、出願人が先に上記特許文献９で提案したものは、該テープの側方の両端面が互いに平行を成して長手方向に延びていて、該端面に粘着剤の層の端縁が露出しており、しかも、製造時に個々のテープにカットする際に、その端面に粘着剤の一部が押し出されることがあるため、ケース内で該テープの側方の端面同士が該端面に沿って長手方向に連続的に接着し易く、使用する際に、接着したテープ同士を剥がすのが困難になる場合があった。
【００１４】
それに対し、本発明に係る化粧用瞼整形用テープにおいては、テープ状部材が、その長手方向の一端から他端まで直線状に延びて幅方向の両側に互いに平行を成す第１及び第２側端を有するコア部と、少なくとも上記貼着領域において、該コア部の第１及び第２側端のそれぞれから幅方向に凸設された突出部とにより形成されていて、上記剥離シート片も該テープ状部材と同形状を有している。そのため、ケースに収納された複数のテープが、長手方向に僅かにずれてさえいれば、たとえ該テープの端面同士が接着したとしても、点状又は断続的な接着となり、該端面に沿った連続的な接着を防止することができるので、ケースから取り出して使用する際に、接着したテープ同士を剥がし易くすることができる。
【００１５】
また、本発明に係る化粧用瞼整形用テープは、二重瞼形成用テープとして特に好適に用いられ、その場合、上記テープ状部材の貼着領域を上記基材片が延伸される所定長さに伸長させたままの状態で上瞼に貼り付け、該基材片の延伸後の弾性的収縮性を利用して該テープ状部材を上瞼にくい込ませることにより、上瞼に該テープ状部材に沿ったくびれを形成して、上瞼を開いた際に該くびれで上瞼が折り返されることにより、二重瞼のひだが形成される。
その一方で、本発明に係る化粧用瞼整形用テープを用いて、下瞼に膨らみを形成する場合にも、同様に、上記テープ状部材の貼着領域を上記基材片が延伸される所定長さに伸長させたままの状態で、下瞼における膨らみを形成する下方位置に貼り付け、該基材片の延伸後の弾性的収縮性を利用して該テープ状部材を当該位置にくい込ませることにより、そこに該テープ状部材に沿ったくびれが形成される。そうすると、その下瞼に形成したくびれの上方に膨らみが形成されて、目元に立体感をもたせることができる。
【００１６】
なお、本発明に係る化粧用瞼整形用テープは、以下のステップを有する方法によって製造することができる。
（１）上記基材片を形成する合成樹脂から成る基材シートの両面又は片面に粘着剤が塗着された粘着シートを準備するステップ
（２）上記突出部と同じ輪郭形状の刃先を有する切断刃と上記粘着シートとを相対的に移動させながら、該切断刃で該粘着シートを切断することにより、上記化粧用瞼整形用テープを得るステップ
【００１７】
そして、本発明に係る化粧用瞼整形用テープを使用するにあたっては、上記テープ状部材の長手方向の一端側と他端側に位置する一対の把持領域を指先で把持して、該テープ状部材を長手方向に引っ張り、これら把持領域間に位置する貼着領域を基材片が延伸される所定長さに伸長させた状態（すなわち、テープ状部材を引っ張ったままの状態）で、上記貼着領域を瞼に押し当てて貼り付ける。そして、把持領域から指先を放すと、基材片の収縮に伴って瞼の皮膚も収縮するが、瞼の皮膚は概ね眼球に沿った外側への凸曲面に形成されているため、テープ状部材が瞼にくい込んで、疑似的な二重瞼を形成したり下瞼に膨らみを形成したりするなど、瞼に疑似的な整形を施すのに必要な深さのくびれが、該テープ状部材に沿って形成される。
【発明の効果】
【００１８】
本発明に係る化粧用瞼整形用テープによれば、上記テープ状部材の把持領域を指先で把持して長手方向に引っ張ることにより、その貼着領域を上記基材片が延伸される所定長さに伸長させた際に、該貼着領域の粘着剤の層も同時に引き延ばされるが、上記突出部については、その先端側にいくほど上記基材片の延伸率が小さくなるため、粘着剤の層も上記コア部よりも厚い適度な厚さを確保することができる
したがって、テープ状部材を引っ張ったままの状態で、その貼着領域を瞼の皮膚に押し当てた時、該貼着領域を瞼の皮膚に対しより確実に接着させることができ、基材片が弾性的に収縮する際に、該テープ状部材と瞼の皮膚との間で滑りが発生するのを抑制することができる。そのため、瞼にテープ状部材の実際の収縮量に応じた深さのくびれ、すなわち、疑似的な二重瞼を形成したり下瞼に膨らみを形成したりするなど、瞼に疑似的な整形を施すのに必要な深さのくびれを、より確実に形成することが可能となる。
【図面の簡単な説明】
【００１９】
【図１】本発明に係る化粧用瞼整形用テープの一実施形態としての二重瞼形成用テープを示す部分破断平面図である。
【図２】図１のテープを側方から見た図である。
【図３】図２のテープのＡ−Ａ断面図である。
【図４】図１のテープの分解斜視図である。
【図５】図２のテープの易破断部を含む部分Ｂの拡大図である。
【図６】図１のテープにおいて、テープ状部材を基材片が延伸される所定長さに伸長させたときの貼着領域の状態を示す概略図である。
【図７】本発明に係る化粧用瞼整形用テープを用いた二重瞼の形成方法を示す概略図１である。
【図８】同概略図２である。
【図９】同概略図３である。
【図１０】同概略図４である。
【図１１】同概略図５である。
【図１２】同概略図６である。
【図１３】同概略図７である。
【図１４】本発明に係る化粧用瞼整形用テープの製造過程を示す概略図１である。
【図１５】同概略図２である。
【図１６】同概略図３である。
【図１７】同概略図４である。
【図１８】同概略図５であり。
【図１９】（ａ）及び（ｂ）は、共に、本発明に係る化粧用瞼整形用テープの他の実施形態を示すテープ状部材の平面図である。
【図２０】（ａ）及び（ｂ）は、共に、本発明に係る化粧用瞼整形用テープの他の実施形態を示すテープ状部材の貼着領域の平面図である。
【図２１】（ａ）〜（ｃ）は、共に、本発明に係る化粧用瞼整形用テープの他の実施形態を示すテープ状部材の貼着領域の部分平面図である。
【発明を実施するための形態】
【００２０】
以下に、本発明に係る化粧用瞼整形用テープの実施形態について、図面を用いて詳細に説明する。なお、以下においては、化粧用瞼整形用テープのうち、主として二重瞼形成用テープを例に挙げて説明する。
図１〜図５に示すように、本発明に係る化粧用瞼整形用テープ１としての二重瞼形成用テープ１は、合成樹脂により形成され、長手方向への伸長により延伸可能でその延伸後にも弾性的な収縮性を有する細長いフィルム状の基材片３の両面全体に、該基材片３を上瞼に貼着するための粘着剤４，４が塗着されて成るテープ状部材２を有している。
【００２１】
上記テープ状部材２は、その長手方向の一端側と他端側に位置して指先での把持に供される一対の把持領域２ａ，２ａと、これら一対の把持領域２ａ，２ａの間に位置して上瞼への貼着に供される貼着領域２ｂとを有している。また同時に、該テープ状部材２は、その長手方向の一端から他端まで直線状に延びて幅方向の両側に互いに平行を成す第１側端２１ａ及び第２側端２１ｂを有するコア部２１と、該コア部２１の第１及び第２側端２１ａ，２１ｂのそれぞれから幅方向に凸設された第１及び第２突出部２２，２３とにより一体に形成されている。
ここで、本発明において、上記コア部２１を規定する第１側端２１ａ及び第２側端２１ｂとは、上記貼着領域２ｂを基材片３が延伸される所定長さに伸長させる際に、基材片３における両方向への引っ張り力が直接的に作用して延伸される部分の両側縁及びその長手方向への延長線であり、これら第１側端２１ａ及び第２側端２１ｂはそれぞれ、上記貼着領域２ｂにおける突出部２２，２３の最も内方に位置する基端２２ａ，２３ａを通っている。
【００２２】
より具体的には、本実施形態においては、上記コア部２１の第１及び第２側端２１ａ，２１ｂのそれぞれにおいて、上記テープ状部材２の長手方向の一端から他端までの全体に亘り、複数の滑らかに連結された波形の突出部２２，２３が、均一の高さｈ１，ｈ２及び均一のピッチｐ１，ｐ２で形成されており、しかも、上記第１側端２１ａにおける突出部２２の高さｈ１及びピッチｐ１と、第２側端における突出部２３の高さｈ２及びピッチｐ２が互いに等しく形成されている。また、該テープ状部材２の長手方向において、上記第１側端２１ａの突出部２２と第２側端２１ｂの突出部２３とが逆位相で形成されており（すなわち、上記第１側端２１ａの側に突出部２２の先端２２ｂが在る位置に、上記第２側端２１ｂの側には突出部２３の基端２３ａが在り、逆に上記第１側端２１ａの側に突出部２２の基端２２ａが在る位置に、上記第２側端２１ｂの側には突出部２３の先端が在り）、その結果、テープ状部材２は、その一端から他端までの全体に亘って均一な幅Ｗを有している。
【００２３】
そして、このような構成を有するテープ状部材２の貼着領域２ｂを基材片３が延伸される所定長さに伸長させると、図６に示すような状態となる。そのとき、上記コア部２１は延伸率が大きくなるため、それに伴い該コア部２１の粘着剤４も同様に引き延ばされ、薄くなったり、場合によっては粘着剤４が切れて粘着剤４が無い部分が生じたりして、上瞼の皮膚への接着性が低下する。そこで、このような突出部２２，２３をテープ状部材２における少なくとも貼着領域２ｂに設けると、該突出部２２，２３の基材片３はその先端２２ｂ、２３ｂ側にいくほど延伸率が小さくなるため、粘着剤４も上記コア部２１よりも厚い適度な厚さを確保することができ、上瞼の皮膚への十分な接着性を確保することができる。したがって、テープ状部材２を引っ張ったままの状態で、その貼着領域２ｂを上瞼の皮膚に押し当てた時、該貼着領域２ｂを上瞼の皮膚に対しより確実に接着させることができ、基材片３が弾性的に収縮する際に、テープ状部材２と瞼の皮膚との間で滑りが発生するのを抑制することができる。そのため、瞼に該テープ状部材２の実際の収縮量に応じたくびれ、すなわち、疑似的な二重瞼を形成するのに必要な深さのくびれを、より確実に形成することが可能となる。
【００２４】
ここで、基材片３を形成する合成樹脂としては、指先にて容易に伸長して塑性領域に移行（延伸）させることが可能で、その延伸後においても弾性的な収縮性を有するポリオレフィン樹脂や塩化ビニル樹脂等が挙げられるが、より好ましくはポリエチレンであり、その中でも特に低密度ポリエチレンが最も好適に用いられる。また、基材片３は、フィルム製造時における軸延伸が特にその長手方向（軸ｌ方向）に対して無延伸又は極めて低延伸倍率のものであることが望ましい。
なお、上記基材片３を形成する合成樹脂には、必要に応じて顔料やラメなどの添加物が加えられていても良い。
【００２５】
上記テープ状部材２の寸法すなわち基材３の各種寸法については、該基材３が低密度ポリエチレンで形成されている場合、実際の使用における操作性や携帯性等を考慮して決定すべきであるが、長さＬは２５〜４０ｍｍ程度で、そのうち上記貼着領域２ｂの延伸後の長さは５〜１０ｃｍ程度であることが好ましい。また、コア部の幅（すなわち第１側端２１ａと第２側端２１ｂとの距離）Ｃｗと基材片３の厚さｔ１は、延伸後に上瞼に貼着したときの幅や厚さ及び上瞼へ装着した時の使用感等を考慮して決定すべきであるが、Ｃｗは１．０〜５．０ｍｍ程度、ｔ１は４０〜８０μｍ程度であることが好ましい。そして、上記突出部２２，２３のピッチｐ１、ｐ２及び高さｈ１，ｈ２は、延伸後に上瞼に装着する際における皮膚との間の滑りの抑制や、上瞼に貼着したときの幅等を考慮して決定すべきであるが、ｐ１，ｐ２は１．５〜４．０ｍｍ程度、ｈ１，ｈ２は０．３〜０．６ｍｍ程度であることが好ましい。このとき、該突出部２２，２３の高さｈ１とｈ２の和は、上記コア部２１の幅Ｃｗよりも小さいことが望ましい。
ただし、基材片３の各種寸法はこれらの範囲に限定されるものではなく、基材片３の材質、並びに、操作性、使用感及び形成した二重瞼の見栄えなどといった感覚的な評価等を考慮して、適宜決定することができる。
【００２６】
なお、粘着剤４，４としては、皮膚用のアクリル系粘着剤が好適に用いられるが、それに限定されるものではなく、皮膚に用いることができるものであれば良い。このとき、瞼の皮膚への接着性等を考慮すると、粘着剤４，４の厚さｔ２は４０〜６０μｍ程度であることが好ましいが、特にこの範囲に限定されるものではなく、粘着剤の性質に応じて適宜決定することができる。また、テープ状部材２の両面の粘着剤４，４は、互いに異なる粘着剤を使用しても良く、厚さｔ２も互いに異なっていても良い。
【００２７】
さらに、上記二重瞼形成用テープ１は、粘着剤４に対し易剥離性を有する合成樹脂により形成されて、上記テープ状部材２の両面すなわち粘着剤４，４が塗着された粘着面に貼着した剥離シート片５，５を有している。
該剥離シート片５は、上記テープ状部材２と平面視において同形状に形成され（すなわち、平面視において同じ外形及び寸法に形成され）、上記テープ状部材２における粘着剤４，４が塗着された粘着面全体を覆っている。そして、該剥離シート片５の長手方向の中央部には、長手方向への引っ張りにより破断する易破断部５ａが幅方向に線状に切設されている。
【００２８】
このとき、易破断部５ａは、図５に示すように、上記剥離シート片５における上記粘着剤４と接する内面側から、その厚さ方向の途中まで切り込みを入れることにより形成されたもので、使用前において、上記易破断部５ａが不注意により破断するのを防止している。さらに、上記剥離シート片５の内面は鏡面に、外面は微細な粗面に形成されており、製造段階において、該剥離シート片５を反転させて粘着剤４と接する面を入れ替えることにより、該剥離シート片５と粘着剤４との剥離性を調整することができるようになっている。
【００２９】
ここで、該剥離シート片５は、粘着剤に対する易剥離性と上記易破断部５ａにおける破断性とを兼ね備えたシリコーン樹脂によって一体に成形されている。このシリコーン樹脂は、硬度がより高いものである程、上記破断性に優れているため好ましく、その厚さｔ３は０．３〜０．５ｍｍ程度であることが望ましいが、特にそれに限定されるものではない。該剥離シート片５は、例えば、紙にシリコーン樹脂から成る易剥離層を設けた剥離紙などであっても良い。また、上記易破断部５ａも、上記切り込み（ハーフカット）によるものである必要性はなく、例えば、Ｖ字状のノッチによるものであっても良い。
【００３０】
以下に、本発明に係る化粧用瞼整形用テープ１としての上記二重瞼形成用テープ１を用いた二重瞼の形成方法を、図７〜図１３に基づいて説明する。
まず、図示は省略するが、二重にする上瞼の油分等を拭き取った上で、プッシャー等を使用して二重瞼のひだを形成する位置を確認する。次いで、図７に示すように、二重瞼形成用テープ１におけるテープ状部材２の把持領域２ａ，２ａを剥離シート片５の上から指先で把持する。そのとき、把持領域の２ａ，２ａの間に少なくとも１ｃｍ前後の貼着領域２ｂを残しておくことが望ましい。そして、該テープ１を長手方向に引っ張ると、剥離シート片５が中央の易破断部５ａで破断すると共に、上記貼着領域２ｂの粘着剤４，４から該剥離シート片５，５が剥離して、中からテープ状部材２の貼着領域２ｂが伸長されながら出てくる。さらに伸長させていくと、図８に示すように、貼着領域２ｂの基材片３が延伸され、引っ張り力を除荷しても元の長さには復帰しない塑性変形した状態となる。このとき、基材片３が所謂ネッキングを伴っていても良い。
【００３１】
そして、テープ状部材２の貼着領域２ｂを５〜１０ｃｍ程度まで伸長させたところで伸ばすのを止め、図９に示すように、伸ばしたテープ状部材２の貼着領域２ｂをピンと張ったままの状態で、上瞼１０の二重瞼のひだを形成したい位置に対し押し当てることにより、該貼着領域２ｂを粘着剤４で上瞼に貼り付け、次いで両手をテープ１から離してテープ状部材２に加えていた引っ張り力と上瞼１０への押し付け力を除荷する。このとき、上述のように、上記突出部２２，２３の粘着剤４で、該貼着領域２ｂはより確実に上瞼の皮膚に貼着されている。
【００３２】
すると、図１０に示すように、延伸された基材片３の弾性的な収縮に伴って、上瞼１０の皮膚も瞼に貼り付けられたテープ状部材２の貼着領域２ｂと共に収縮するが、図１１に示すように、上瞼１０の皮膚は概ね眼球１１に沿った外側への凸曲面に形成されていることから、テープ状部材２が上瞼１０にくい込んで該テープ状部材２に沿った凹溝状のくびれ１２を形成する。このとき、テープ状部材２は、くびれ１２の底部に貼り付いた状態となっている。
そして、図１２及び図１３に示すように上瞼１０を開けると、上記くびれ１２で上瞼１０が自然に折り返されて二重瞼のひだ１３が形成される。
なお、テープ状部材２の上瞼１０の皮膚に貼り付いていない両端側の余剰部分は、カッター等により適当な位置（図１２中×で示した位置）で切り取る。この後、図示しないプッシャー等で二重瞼の形を整えても良い。
【００３３】
その一方で、本発明に係る化粧用瞼整形用テープ１は、図１３に示すように、下瞼１５に膨らみ（所謂、涙袋）１７を形成するテープとしても使用することができる、その場合には、上述した二重瞼を形成する場合と同様に、上記テープ状部材２の貼着領域２ｂを上記基材片３が延伸される所定長さに伸長させたままの状態で、下瞼１５における膨らみ１７を形成する下方位置に貼り付け、該基材片３の延伸後の弾性的収縮性を利用して該テープ状部材２を当該位置にくい込ませることにより、そこに該テープ状部材２に沿ったくびれ１６が形成される。そうすると、その下瞼１５に形成したくびれ１６の上方に膨らみ１７が形成されて、目元に立体感をもたせることができる。なお本発明に係る化粧用瞼整形用テープ１をこのように下瞼１５に膨らみ１７を形成するテープとして使用する場合には、テープ１の長さＬを二重瞼を形成する場合よりも短くしても良い。その他の点については、基本的には、上述した二重瞼形成用テープ１の場合と同様であるから、重複を避けるため説明を省略する。
【００３４】
ところで、このように２枚の剥離シート片５，５の間に上記テープ状部材２を挟持させ、これら剥離シート片５，５とテープ状部材２とを互いに同形状に形成した化粧用瞼整形用テープ１においては、該テープ１同士が個々に独立していることから、商品化するにあたっては、その複数本をまとめてケース内に長手方向に揃えた状態で収納するのが一般的である。
しかしながら、出願人が先に上記特許文献９で提案したものは、該テープの側方の両端面が互いに平行を成して長手方向に延びていて、該端面に粘着剤の層の端縁が露出しており、しかも、製造時に個々のテープにカットする際に、その端面に粘着剤の一部が押し出されることがあるため、ケース内で該テープの側方の端面同士が該端面に沿って長手方向に連続的に接着し易く、使用する際に、接着したテープ同士を剥がすのが困難になる場合があった。
【００３５】
それに対し、本発明に係る化粧用瞼整形用テープ１においては、テープ状部材２が、その長手方向の一端から他端まで直線状に延びて幅方向の両側に互いに平行を成す第１及び第２側端２１ａ，２１ｂを有するコア部２１と、少なくとも上記貼着領域２ｂにおいて、該コア部２１の第１及び第２側端２１ａ，２１ｂのそれぞれから幅方向に凸設された突出部２２，２３とにより形成されていて、上記剥離シート片５，５も該テープ状部材２と同形状を有している。そのため、ケースに収納された複数本のテープ１が、長手方向に僅かにずれてさえいれば、たとえ該テープ１の側方の端面同士が接着したとしても、点状又は断続的な接着となり、該端面に沿った連続的な接着を防止することができるので、ケースから取り出して使用する際に、接着したテープ同士を剥がし易くすることができる。
【００３６】
以下に、上述した化粧用瞼整形用テープ１としての二重瞼形成用テープ１の製造方法を、図１４〜１８を用いて説明する。
まず、ポリオレフィン樹脂や塩化ビニル樹脂などの合成樹脂から成る基材シート３０の両面に粘着剤４，４が塗着されて成る両面粘着シート２５（図１５）を準備する。
また、図１４に示すように、硬度の高いシリコーン樹脂を熱成型することにより、第１面５１が鏡面でそれと反対側の第２面５２が粗面である剥離シート５０を作成し、その第１面５１に、厚さ方向の途中に至るまで切り込まれた、互いに等間隔Ｌで平行を成す複数本の易破断線５３を形成する。
【００３７】
次に、図１５及び図１６に示すように、２枚の上記剥離シート５０の第１面５１を、上記両面粘着シート２５の両面の粘着剤４，４にそれぞれ貼付することにより、両面粘着シート２５を２枚の剥離シート５０，５０で挟んだ積層シート６０を作成する。そのとき、２枚の剥離シート５０，５０の易破断線５３，５３は互いに同方向に延びて対向している。また、上記両面粘着シート２５の基材シート３０は、特に易破断線５３と直交する方向に対し、フィルム製造時における軸延伸が無延伸又は極めて低延伸倍率のものであることが望ましい。
そして、上記積層シート６０を、図１６の一点鎖線に示すように、互いに隣接する易破断線５３間の中央で該易破断線５３と平行に裁断して、幅がＬの細長い短冊状積層シート６１を形成する。
【００３８】
続いて、図１７に示すような上記突出部２２，２３と同じ輪郭形状の刃先７１を有する切断刃７０を準備し、図１８に示すように、該切断刃７０と上記短冊状積層シート６１とを、長手方向に送り幅Ｗで相対的に移動させながら、該シート６１を切断刃７０で上記易破断線５３と直角方向に細く裁断する。その結果、上記易破断部５ａが長手方向の中央に設けられた上記二重瞼形成用テープ１を得ることができる。
【００３９】
なお、上記テープ状部材２の突出部２２，２３の形態は、図１に示したものに限定されることなく、例えば、図１９（ａ），（ｂ）に示すように、突出部２２，２３をテープ状部材２の貼着領域２ｂのみに形成しても良く、図１９（ｂ）に示すように、両側の突出部２２，２３を互いに同位相としても良い。また、図２０（ａ），（ｂ）に示すように、突出部２２，２３のピッチｐ１，ｐ２を互いに異ならせても良く、図２０（ｂ）に示すように、突出部２２，２３の高さｈ１，ｈ２も互いに異ならせても良い。そして、図２１（ａ），（ｂ）に示すように、突出部２２，２３を矩形状にしたり三角形状にしたりして、所定の間隔で凸設しても良く、図２１（ｃ）に示すように、高さｈ１，ｈ２が異なる円弧状の突出部２２，２３を、所定の間隔で凸設しても良い。さらに、これらの突出部２２，２３の配置や形態を組み合わせても良い。なお、図２０及び図２１のテープ状部材２においては、突出部２２，２３を、図１９に示すもののように、貼着領域２ｂの範囲のみに設けても良いし、図１に示すもののように、テープ状部材２の長手方向の全体に亘って設けても良いのは勿論である。
【００４０】
以上において、本願発明の実施形態について詳細に説明してきたが、本願発明はそれらに限定されるものではなく、本願発明の要旨から逸脱しない範囲において、様々な設計変更ができることは言うまでもない。例えば、基材片３の片面のみに粘着剤４を塗着してテープ状部材２を形成しても良く、その場合、上記剥離シート片５もその片面のみに貼着すれば足りる。また、テープ状部材２は、紙にシリコーン樹脂から成る易剥離層を設けた剥離紙等の易剥離性を有するシートに、複数枚並べて貼着されていても良い。
【符号の説明】
【００４１】
１    化粧用瞼整形用テープ（二重瞼形成用テープ）
２    テープ状部材
２ａ  把持領域
２ｂ  貼着領域
３    基材片
４    粘着剤
５    剥離シート片
５ａ  易破断部
２１  コア部
２１ａ  第１側端
２１ｂ  第２側端
２２    第１突出部
２２ａ  基端
２２ｂ  先端
２３    第２突出部
２３ａ  基端
２３ｂ  先端
【図１】
0006021760.tif 000002
【図２】
0006021760.tif 000003
【図３】
0006021760.tif 000004
【図４】
0006021760.tif 000005
【図５】
0006021760.tif 000006
【図６】
0006021760.tif 000007
【図７】
0006021760.tif 000008
【図８】
0006021760.tif 000009
【図９】
0006021760.tif 000010
【図１０】
0006021760.tif 000011
【図１１】
0006021760.tif 000012
【図１２】
0006021760.tif 000013
【図１３】
0006021760.tif 000014
【図１４】
0006021760.tif 000015
【図１５】
0006021760.tif 000016
【図１６】
0006021760.tif 000017
【図１７】
0006021760.tif 000018
【図１８】
0006021760.tif 000019
【図１９】
0006021760.tif 000020
【図２０】
0006021760.tif 000021
【図２１】
0006021760.tif 000022